(57)【要約】【課  題】法面等の崩落防止や雨水による侵蝕防止のために行う保護工法を施工が容易で、低コストで行うことができるようにする。【解決手段】法面等に形成した削孔に鉄筋を挿入して、その周りに注入したグラウト材で固めたのち、法面等からの鉄筋の突出部分にＦＲＰ製の剛性を有する格子状の受圧構造物２及び押え板８を差込んでナットを捩込み固定する。法面等上に受圧構造物３を互い違いに固定したのち、受圧構造物３間の空いたスペースに樹脂製の格子状をなす保護構造物３を置き、四隅にピンを差し込んで法面等に突き刺し取着する。受圧構造物２で法面等の土圧を支持し、保護構造物３で表層部の雨水による侵蝕を防止すると共に、植生を可能にする。そして施工コストの嵩む受圧構造物２の取付けを少なくすることで全体のコストを低減させる。【選択図】  図５
2004263520.tif 000002
【特許請求の範囲】
【請求項１】
法面等に削孔したのち鉄筋を挿入して固定し、ついで法面等からの突出部分に受圧構造物を差し込んでナットを捩込み、締着して固定する工法により法面等の所要部に受圧構造物を固定すると共に、比較的軽量で、かつ複数ないし多数の区画に仕切られ、止着具によって法面等に刺し込んで止着されるか、或いは近接ないし近隣の受圧構造物と連結される保護構造物を上記受圧構造物とは互いに重ならないようにして取付けることを特徴とする法面等の保護工法。
【請求項２】
複数ないし多数の区画に仕切られて法面等に止着手段によって止着され、周辺のフレームの高さを他の部分に比べ高くしたことを特徴とする法面等の保護工法で用いる保護構造物。
【請求項３】
ナットの捩込みは、受圧構造物から突出する鉄筋に押え板を差し込んでから行われることを特徴とする請求項１記載の法面等の保護工法。
【請求項４】
受圧構造物は、複数ないし多数の区画に仕切られ、押え板には受圧構造物の上記区画に差し込まれる脚が突設されることを特徴とする請求項３記載の法面等の保護工法。
【請求項５】
上記保護構造物が周辺のフレームの高さを他の部分に比べ高くした保護構造物であることを特徴とする請求項１、３又は４記載の法面等の保護工法。
【発明の詳細な説明】
【０００１】
【発明が属する技術分野】
本発明は、自然地山の斜面や切土又は盛土によってできた法面（以下、これら斜面及び法面を総称して「法面等」という）の保護工法と、該工法において用いられる法面等の保護構造物に関する。
【０００２】
【従来技術】
法面等の保護工法として、法面等に削孔して鉄筋を挿入し、その周りにグラウト材を注入して鉄筋を固定したのち、法面等から突出する鉄筋に受圧構造物を差込み、ついで鉄筋の突出部分にナットを捩込んで締め付け固定する工法が知られ、受圧構造物を格子状にして植生し、緑化ができるようにしたものも知られる（特許文献１）。
また格子ないし網状をなすフェルト等のマット体を法面等にアンカーボルトによって止着したのち、客土を吹き付けて緑化する工法も提案されている（特許文献２）。
【０００３】
【特許文献１】特開２０００−３３６６５６号
【特許文献２】特開昭５６−１４２９３４号
【０００４】
【発明が解決しようとする課題】
上述のマット体が法面等に単に取付けられるのに対し、受圧構造物は法面等をしっかりと押え付けて法面等の土圧を支持することができるが、剛性が大で重量も嵩むうえ、その施工には法面等への削孔や鉄筋の挿入及び固定、ナットの締結作業など多くの工程が必要で、コスト高となることが否めない。
【０００５】
また上述のマット体は、比較的軽量で、法面等への取付も容易であり、個々の升目を通して植生することもできるが、表層部の土砂流出防止対策について配慮されていない。
【０００６】
本発明の第１の目的は、上述の受圧構造物と、マット体のように、これに比べ比較的軽量で、施工も容易な保護構造物を組合せて法面等に取付けることにより全体の施工を容易にし、コストを低減させることができる法面等の保護工法を提供しようとするものである。
【０００７】
第２の目的は、格子状をなして比較的軽量で、植生ができ、法面等への取付けも容易である法面等の保護構造物であって、表層部の土砂流出防止機能に優れた保護構造物を提供しようとするものである。
【０００８】
【課題の解決手段】
請求項１に係わる発明は、第１の目的を達成する法面等の保護工法に関するもので、法面等に削孔したのち鉄筋を挿入して固定し、ついで法面等からの突出部分に受圧構造物を差し込んでナットを捩込み、締着して固定する工法により法面等の所要部に受圧構造物を固定すると共に、比較的軽量で、かつ複数ないし多数の区画に仕切られ、止着具によって法面等に刺し込んで止着されるか、或いは近接ないし近隣の受圧構造物と連結される保護構造物を上記受圧構造物とは互いに重ならないようにして取付けることを特徴とする。
【０００９】
本発明によると、法面等は受圧構造物と保護構造物によって保護され、前者の受圧構造物で法面等をしっかりと押え付けて、その土圧を支持し、後者の保護構造物で法面等の表層部の風化や雨水による侵食が防止される。
【００１０】
本発明においては、法面等に受圧構造物が部分的に取付けられ、他は軽量で、かつ施工が容易な保護構造物が取付けられるため、受圧構造物のみを使用するのと比べ、全体の施工が容易となり、施工コストも低減される。保護構造物は複数ないし多数の区画に仕切られているため、個々の区画部分に植生が可能であるが、受圧構造物に関しても同様に複数ないし多数の区画に仕切って植生ができるようにするのが望ましい。
【００１１】
本発明において、保護構造物を取付けるのに用いる止着具としては、例えば保護構造物に形成の差込み孔を通して法面等に刺込まれるピン、近接ないし近隣の受圧構造物のフレームと保護構造物のフレームのフレーム同士を連結するボルト、両フレームに差込まれて両フレームを連結する逆Ｕ形状をなすクリップ等を例示することができる。
【００１２】
保護構造物に形成される区画は、例えば、三角形、矩形状、六角形等の多角形、その他任意形状とされ、矩形状をなす場合には例えば格子状をなし、六角形をなす場合には例えばハニカム状にされる。
また保護構造物の材質としては、上述のフェルト状のものであってもよいし、ＦＲＰないし樹脂製のものであってもよい。
【００１３】
請求項２に係わる発明は、第２の目的を達成する保護構造物に関するもので、複数ないし多数の区画に仕切られて法面等に止着手段によって止着され、周辺のフレームの高さを他の部分に比べ高くしたことを特徴とする。
本発明においても、各区画部分に植生が可能であり、また周辺のフレームが高いため表層部の土砂の流出を遮り、留める機能を果たすようになる。
本発明で用いる止着手段としては、例えば法面等に差し込まれるか或いは打ち込まれるピンやロックボルト等を例示することができる。
【００１４】
請求項３に係わる発明は、請求項１に係わる発明において、ナットの捩込みが受圧構造物から突出する鉄筋に押え板を差し込んでから行われることを特徴とする。
本発明によると、ナットの捩込みによる締着力が押え板により分散され、押え板全体で受圧構造物を押えてしっかりと固定することができる。
【００１５】
請求項４に係わる発明は、請求項３に係わる発明において、受圧構造物が複数ないし多数の区画に仕切られ、押え板には受圧構造物の上記区画に差し込まれる脚が突設されることを特徴とする。
本発明によると、押え板の鉄筋差込み孔を図３に示すように大きく形成しておいて、鉄筋への差込みが容易に行われるようにしておいても受圧構造物を所定位置に位置決めしてずれることなく取付けることができる。
【００１６】
本発明の受圧構造物も保護構造物と同様、区画が例えば、三角形、矩形状、六角形等の多角形、その他任意形状とされ、矩形状をなす場合には例えば格子状をなし、六角形をなす場合には例えばハニカム状にされる。
【００１７】
請求項５に係わる発明は、請求項１、３又は４に係わる発明において用いられる保護構造物が、周辺のフレームの高さを他の部分に比べ高くした保護構造物であることを特徴とする。
【００１８】
【発明の実施の形態】
図１は、法面等１に固着される受圧構造物２を示すものであり、図２は、同じく法面等１に取付けられる保護構造物３を示すもので、前者の受圧構造物２は、鋼、アルミ等の金属製、好ましくはＦＲＰないし樹脂製で、剛性を有して格子状をなし、法面等１への取付けは、法面等１にあけた削孔５にねじ節鉄筋６を挿入して、その周りにグラウト材７を注入して固定し、ついで法面等１からの突出部分に受圧構造物２を差込み、その上に四隅にピン状の脚１０を突設した押え板８を重ね、図３に示すように、脚１０を受圧構造物２の格子状をなす鉄筋６の周りの矩形の区画よりなる升目２ａに差込んで位置決めし挿入したのち、鉄筋突出部分にナット９を捩込んで締着することにより行われる。図中、１１は鉄筋６の突出端部に被せられ、ナット９を被覆するキャップである。
【００１９】
保護構造物３は、樹脂製で、図４に示すように格子状をなし、周辺が高く形成され、四隅にピン差込み孔１３が形成されている。法面等１への取付けは、図２に示すように、法面等１に置いてから四隅のピン差込み孔１３にピン１４を通し、法面等１に刺込むことにより行われる。
【００２０】
図５は、上述の受圧構造物２と保護構造物３を用いた法面等１への施工例を示すもので、受圧構造物２を上述の取付方法により法面等１へ互い違いに取付ける。その後、保護構造物３間の空いたスペースに保護構造物３を上述した取付方法により法面等１へ取付ける。
保護構造物３の取付けは、ピン１４を法面等１に刺込んで行う以外の方法で行うこともできる。
【００２１】
図６は、その一例を示すもので、逆Ｕ形状をなすクリップ１６を受圧構造物２と近接する保護構造物３のフレームに差し込み、受圧構造物２と保護構造物３のフレーム同士を連結することにより行われる。
受圧構造物２と保護構造物３の取付けは、保護構造物３を先に取付けてから受圧構造物を取付けても良いし、交互に或いはランダムに取付けてもよい。
【００２２】
別の実施形態では、受圧構造物２或いは保護構造物３が一つおき或いは二つおきに規則的に、又は不規則にランダムに取付けられ、また受圧構造物と保護構造物は互いに接触して敷き詰められないで、両者の間には隙間が適当に形成されてもよい。
別の実施形態ではまた、法面等に保護構造物３のみが規則的に或いは不規則的に取付けられる。
【００２３】
以上のようにして受圧構造物２及び若しくは保護構造物３を法面等１に取付けたのち、受圧構造物２及び保護構造物３上に種子を混ぜた客土が吹き付けられ、植生される。植生は受圧構造物２及び保護構造物３の格子状をなす各升目を植木鉢と同様にして種子播きをし或いは挿し木をして植生を行うこともできる。
【００２４】
【発明の効果】
請求項１に係わる発明によると、部分的に取付けた受圧構造物で法面等の土圧が支持され、その崩落を防止すると共に、保護構造物で法面等の表層部の風化や雨水による侵蝕防止を図ることができること、保護構造物は安価で、その施工も容易であり、低コストでできるため、全体の施工も容易となり、施工コストが低減されること、受圧構造物と保護構造物のうち、少なくとも保護構造物は格子状をなしているため植生が可能で、緑化できること等の効果を奏する。
【００２５】
請求項２に係わる発明によると、保護構造物は周辺が高く形成されているため、土留効果を発揮し、表層部の土砂の流出を止めることができる。
請求項３に係わる発明によると、ナットを捩込んで締付けたときの加圧力が分散され、押え板全体で受圧構造物を押えてしっかりと固定することができ、また請求項４に係わる発明においては、押え板の鉄筋差込み孔を大きく形成しておいて、鉄筋への差込みが容易に行われるようにしておいても、脚を鉄筋の周りの受圧構造物の区画に差し込むことにより、押え板を所定位置にずれることなく取付けることができる。
請求項５に係わる発明によると、請求項１及び２に係わる発明の効果を併せて奏することができる。
【図面の簡単な説明】
【図１】受圧構造物の取付け状態を示す断面図。
【図２】保護構造物の取付け状態を示す拡大した断面図。
【図３】押え板で押えた受圧構造物の要部の拡大平面図。
【図４】保護構造物の斜視図。
【図５】受圧構造物と保護構造物の施工例を示す図。
【図６】受圧構造物と保護構造物をクリップで連結した状態を示す図。
【符号の説明】
１・・法面等
２・・受圧構造物
３・・保護構造物
５・・削孔
６・・ねじ節鉄筋
７・・グラウト材
８・・押え板
９・・ナット
１０・・脚
１１・・キャップ
１３・・ピン差込み孔
１４・・ピン
１６・・クリップ
【図１】
2004263520.tif 000003
【図２】
2004263520.tif 000004
【図３】
2004263520.tif 000005
【図４】
2004263520.tif 000006
【図５】
2004263520.tif 000007
【図６】
2004263520.tif 000008